(57)【要約】      （修正有）【課題】チェロやコントラバス等のようにエンドピンを備える弦楽器で奏でられた音（振動）を劣化させることなく床材に効果的に伝達でき、かつ、滑動防止性を向上させたエンドピンストッパーを提供する。【解決手段】床面に載置して弦楽器のエンドピンを支持するエンドピンストッパー１０であって、弦楽器のエンドピンの先端が突き当てられるエンドピン受け部１と、床面に載置された際、当該床面に当接する側の面から突出する複数の針と、を備えて構成する。【選択図】図１
0003210352.tif 000002
【実用新案登録請求の範囲】
【請求項１】
床面に載置して弦楽器のエンドピンを支持するエンドピンストッパーであって、
前記弦楽器のエンドピンの先端が突き当てられるエンドピン受け部と、
床面に載置された際、当該床面に当接する側の面から突出する複数の針と、を備えることを特徴とするエンドピンストッパー。
【請求項２】
エンドピンストッパー本体を、木質材から成る表層部と、金属から成る金属層部と、合成樹脂材料から成り床面と当接する受圧体層部と、を順に積層して一体化して構成し、
前記エンドピン受け部が、前記表層部の上部面に形成され、
前記複数の針は、前記金属層部の前記受圧体層部と積層される側に形成されており、
前記受圧体層部は、前記複数の針がそれぞれ遊挿される針保護孔を有し、  前記エンドピン受け部に、前記弦楽器のエンドピンの先端が突き当てられて弦楽器の荷重が前記本体に作用し前記受圧体層部が押し縮められることにより、前記針保護孔から前記針が突出することを特徴とする請求項１に記載のエンドピンストッパー。
【請求項３】
前記針の直径は、２．５ｍｍ以下であって、前記受圧体層部がポリウレタン樹脂で形成されていることを特徴とする請求項１又は２に記載のエンドピンストッパー。
【考案の詳細な説明】
【技術分野】
【０００１】
本考案は、弦楽器を支持するエンドピンストッパーに関し、特に、チェロ、コントラバス等のようにエンドピンを備える弦楽器を支持するエンドピンストッパーに関するものである。
【背景技術】
【０００２】
チェロ、コントラバス等の弦楽器は、床面に当接するエンドピンを有する。演奏する際に演奏者が演奏舞台の床面にエンドピンの先端を当接させて演奏する。エンドピンを通じてチェロ等の楽器本体の振動を床材に伝達することにより、音質劣化なく、より豊かな音色（振動）を奏でる。しかしながら、上記エンドピンを床面に直接刺すと、先端により床面に直径数ミリの穴を開けて傷付いてしまうという課題がある。
そこで、従来からエンドピンを支持する支持具であるエンドピンストッパーが使用されている。従来のエンドピンストッパーは、エンドピンストッパー本体の中央にエンドピンの先端が当接する凹部を形成し、裏面（床との接触面）には滑り止め用のゴムが貼付されて構成されている。例えば、実開平０７―１６９９１号に開示された従来のエンドピンストッパーは、本体をすり鉢状に形成し、本体裏面には滑り止め用のゴム板を貼付したものである。この他、エンドピンストッパーを演奏椅子に紐で結びつけて滑らないように対策した製品もある。このように、エンドピンストッパーを使えば、エンドピンにより床面を傷つけるおそれがなく、また、エンドピンの滑動も防ぐことから安定した状態で演奏することが可能となる。
【先行技術文献】
【特許文献】
【０００３】
【特許文献１】実開平０７―１６９９１号公報
【考案の概要】
【考案が解決しようとする課題】
【０００４】
しかしながら、従来のようにゴム等の摩擦力を利用している物では、床のホコリで滑りやすくなったり、又は、カーペットの上で演奏するときに、摩擦力が低下して滑りやすくなるという欠点があった。エンドピンストッパーを紐で演奏椅子に固定するタイプの場合には、エンドピンストッパーの位置を変えたいときに、その都度、紐の長さを調整しなければならず、面倒である。特にオーケストラの練習などで座席の移動を伴うときには、椅子ごとの移動となり大変不便である。また、固定した紐によって同心円状に横滑りしてしまうという欠点がある。
さらに、エンドピンと床面との間にゴム板を介在させると、熱損失による音質劣化が起こり、理想的な音質を奏でることができない。すなわち、上記楽器と床との間にゴム板が介在することにより、楽器で奏でた音（振動）が床材に伝達しなかったり、またはゴムによってエンドピンの先端が振動してエンドピン先端の機械的抵抗（機械インピーダンス）が変化してしまい、結果的に楽器本体の振動に悪影響を及ぼす。そして、その結果、観客に楽器本来の音質で聴取されにくくなる。言い換えれば、従来のエンドピンストッパーでは、エンドピン先端の不自然な振動が楽器本来の振動を妨げてしまい、豊かな音色（振動）効果を奏することができない。
本考案の目的は、このような問題等に鑑みて、チェロやコントラバス等のようにエンドピンを備えた弦楽器で奏でられた音（振動）を劣化させることなく床材に効果的に伝達でき、かつ、滑動防止性を向上させたエンドピンストッパーを提供することを目的とするものである。
【課題を解決するための手段】
【０００５】
本考案のエンドピンストッパーは、床面に載置して弦楽器のエンドピンを支持するエンドピンストッパーであって、前記弦楽器のエンドピンの先端が突き当てられるエンドピン受け部と、床面に載置された際、当該床面に当接する側の面から突出する複数の針と、を備えることを特徴とする。
【０００６】
エンドピンストッパー本体を、木質材から成る表層部と、金属から成る金属層部と、合成樹脂材料から成り床面と当接する受圧体層部と、を順に積層して一体化して構成し、前記エンドピン受け部が、前記表層部の上部面に形成され、前記複数の針は、前記金属層部の前記受圧体層部と積層される側に形成されており、前記受圧体層部は、前記複数の針がそれぞれ遊挿される針保護孔を有し、前記エンドピン受け部に、前記弦楽器のエンドピンの先端が突き当てられて弦楽器の荷重が前記本体に作用し前記受圧体層部が押し縮められることにより、前記針保護孔から前記針が突出するよう構成してもよい。
【０００７】
前記針の直径は、２．５ｍｍ以下であって、前記受圧体層部をポリウレタン樹脂により形成してもよい。
【考案の効果】
【０００８】
本考案のエンドピンストッパーによれば、チェロやコントラバス等のようにエンドピンを備えた弦楽器で奏でられた音（振動）を劣化させることなく、床材に効果的に伝達し、かつ、滑動防止性を向上させることができる。
【図面の簡単な説明】
【０００９】
【図１】本実施形態によるエンドピンストッパーの参考斜視図である。
【図２】本実施形態によるエンドピンストッパーの底面図である。
【図３】本実施形態によるエンドピンストッパーの平面図である。
【図４】本実施形態によるエンドピンストッパーの正面図である。
【図５】図３のＡ−Ａ断面図である。
【図６】図３のＢ−Ｂ断面図である。
【考案を実施するための形態】
【００１０】
図１は本実施形態によるエンドピンストッパーの参考斜視図、図２は本実施形態によるエンドピンストッパーの底面図、図３は実施形態によるエンドピンストッパーの平面図、図４は本実施形態によるエンドピンストッパーの正面図、図５は図３のＡ−Ａ断面図、図６は図３のＢ−Ｂ断面図である。背面図及び左側面図及び右側面図は正面図と同様であるため記載を省略する。
【００１１】
本実施形態のエンドピンストッパー１０は、床面に載置して弦楽器のエンドピンを支持するエンドピンストッパーであって、チェロやコントラバス等の弦楽器のエンドピンの先端が突き当てられるエンドピン受け部１と、床面に載置された際、当該床面に当接する側の面から突出する複数の針２と、を備えている。
【００１２】
具体的には、エンドピンストッパー１０の本体を、木質材から成る表層部３と、金属から成る金属層部４と、合成樹脂材料から成り床面と当接する受圧体層部５と、を順に積層して一体化して構成する。
表層部３の上部面にエンドピン受け部１を形成する。金属層部４の受圧体層部５と積層される側に複数の針２を形成する。受圧体層部５には、複数の針２がそれぞれ遊挿される針保護孔５ａが形成されている。エンドピン受け部１に、弦楽器のエンドピンの先端が突き当てられて、弦楽器の荷重がエンドピンストッパー１０本体に作用して受圧体層部５が押し縮められることにより、針保護孔５ａから針２が突出する。これにより、床面に針２が僅かに刺さりエンドピンストッパー１０を床面に固定する。
【００１３】
表層部３は、弦楽器のエンドピンがエンドピン受け部１に突き当てられた際、当該エンドピンを傷つけることなく、かつ、適当な強度を有してエンドピンを介して伝搬される楽器の音を床材に劣化なく伝えることができる材料で形成する。例えば、バーチ合板等の木質材により形成する。エンドピン受け部１は、エンドピンを突き当てる部分であり、例えば、表層部３の上部面のほぼ中央に凹状に形成することが好ましい。
【００１４】
金属層部４は、強度の高い金属で形成する。例えば、ステンレスで形成する。金属層部４の受圧体層部５側の面（図５、図６において金属層部４の下側）に、針２を溶接又は接着形成する。具体的には、金属層部４に針２を差し込む穴を形成し、形成された各穴に針２をそれぞれ差し込んで溶接又は接着し金属層部４と針２とが一体を成して構成される。針２は、例えば、ＨＳＳ鋼（ハイス鋼）等の硬度の高い材料により形成する。
【００１５】
針２は、エンドピンストッパー１０を使用する際、針２自身が撓むことなく、かつ、床面上でエンドピンストッパー１０が滑動しないよう針先がしっかりと床面にくい込み固定される。また、一方で、針２によって床面を傷つけることは防ぎたい。したがって、針先のサイズを小さく形成する。例えば、直径２．５ｍｍ以下で針先に行くほど細くなる先細形状で形成する。これにより、床面への針先のくい込みを最小限に抑えることができる。  このように、高剛性の金属板からなる金属層部４に同じ長さの複数本の針２を溶接又は接着形成することによって、エンドピンストッパー１０のエンドピン受け部１に掛かる楽器の荷重を複数本の針２に均等に分散させることにより、針２が必要以上に床に食い込むことを防止できる。図１乃至図６は、同じ長さの５本の針２を金属層部４に溶接した例である。
【００１６】
金属層部４に針２が溶接された後、受圧体層部５が金属層部４に貼付される。受圧体層部５は、エンドピン受け部１に弦楽器のエンドピンの先端が突き当てられて、弦楽器の荷重が作用したときに適度に押し縮められる程度の圧縮弾性率を有する合成樹脂材料により形成する。具体的には、弦楽器の荷重が作用したときに針保護孔５ａから針２の先端が僅かに突出する程度の圧縮弾性率を有することが好ましい。例えば、ポリウレタン樹脂で形成することが好ましい。このような受圧体層部５により、針２を保護し、かつ、使用時に、針先が突出しすぎて床にくい込みすぎることを防止できる。
【００１７】
本実施形態によるエンドピンストッパー１０の評価を行った。評価に用いた本実施形態によるエンドピンストッパー１０の構成を以下に示す。
[本実施形態によるエンドピンストッパー１０]
表層部３：バーチ合板（寸法：縦横共に８０ｍｍ、角Ｒ（四隅角の丸み）１２ｍｍ）
金属層部４：ステンレス（ＳＵＳ３０４  ２ｂ、比重：７．９３、板厚：４ｍｍ、寸法：縦横共に８０ｍｍ、角Ｒ（四隅角の丸み）１２ｍｍ）
受圧体層部５：ポリウレタン（寸法：縦横共に８０ｍｍ、角Ｒ（四隅角の丸み）１２ｍｍ）
針２：ＨＳＳ鋼（直径：１．５ｍｍ、四隅角付近４か所と中心部１か所）
比較例として、滑り止めとしてゴムの摩擦力を利用し、床面と当接する部分にゴムを用いた従来品のエンドピンストッパーを用いた。
【００１８】
モニターとして、コントラバス又はチェロ等の弦楽器に関し、数十年の演奏歴のある８名（Ａ氏〜Ｈ氏）を選んだ。弦楽器のエンドピンを本実施形態によるエンドピンストッパー１０、比較例のエンドピンストッパーをそれぞれ使用して、モニター自身が得意な曲を演奏してもらい、その音質と滑動防止性を比較評価してもらった。
【００１９】
[１．音質評価]
（１−１）音質を１点〜１０点の１０点満点で採点する。比較例によるエンドピンストッパーを使用した際の音質を「５点」とした場合、本実施形態によるエンドピンストッパー１０の音質を１点〜１０点の１０点満点で採点し、比較する。
（１−２）音質評価結果  
本実施形態によるエンドピンストッパーの音質評価点数
Ａ氏：１０点  （床面：木床及びカーペット）
Ｂ氏：１０点  （床面：木床及びカーペット）
Ｃ氏：１０点  （床面：木床）
Ｄ氏：１０点  （床面：木床及びカーペット）
Ｅ氏：  ８点  （床面：木床及びカーペット）
Ｆ氏：１０点  （床面：木床）
Ｇ氏：  ９点  （床面：木床及びカーペット）
Ｈ氏：１０点  （床面：木床）
【００２０】
[２．滑動防止性評価]
（２−１）滑動防止性を１点〜１０点の１０点満点で採点する。比較例によるエンドピンストッパーを使用した際の滑動防止性を「５点」とした場合、本実施形態によるエンドピンストッパー１０の滑動防止性を１点〜１０点の１０点満点で採点し、比較する。
（２−２）滑動防止性評価結果  
本実施形態によるエンドピンストッパー１０の滑動防止性点数
Ａ氏：１０点  （床面：木床及びカーペット）
Ｂ氏：１０点  （床面：木床及びカーペット）
Ｃ氏：１０点  （床面：木床）
Ｄ氏：１０点  （床面：木床及びカーペット）
Ｅ氏：１０点  （床面：木床及びカーペット）
Ｆ氏：１０点  （床面：木床）
Ｇ氏：  ９点  （床面：木床及びカーペット）
Ｈ氏：  ８点  （床面：木床）
【００２１】
[結論]
音質評価、滑動防止性評価共に、比較例のエンドピンストッパーと比べて本実施形態のエンドピンストッパー１０が非常に優れていることが分かった。特に、床面が木床の場合、カーペットの場合、いずれにおいても音質、滑動防止性共に向上することが分かった。
【００２２】
以上説明したように、本実施形態によるエンドピンストッパー１０によれば、弦楽器のエンドピンの先端が突き当てられるエンドピン受け部１と、床面に載置された際、当該床面に当接する側の面から突出する複数の針２と、を備えて構成した。これにより、エンドピン受け部１に掛かる楽器の荷重を複数の針２に均等に分散でき、かつ、針２が床面に刺さることにより、木床やフローリングであっても、カーペットであっても、例えば埃っぽい床であっても、演奏舞台の床面に影響されることなくエンドピンストッパーの滑動を防止することができる。また、エンドピンストッパーに床との摩擦力を得るためのゴムを使用していないので、熱損失による音質への影響を防止することができ、楽器本体の振動を床材に伝達して豊かな音色（振動）効果を奏することができる。
【００２３】
また、エンドピンストッパー本体を、木質材から成る表層部３と、金属から成る金属層部４と、合成樹脂材料から成り床面と当接する受圧体層部５と、を順に積層して一体化して構成し、複数の針２は、金属層部４の受圧体層部５と積層される側に形成されており、受圧体層部５は、複数の針２がそれぞれ遊挿される針保護孔５ａを有し、エンドピン受け部１に、弦楽器のエンドピンの先端が突き当てられて弦楽器の荷重が本体に作用し受圧体層部５が押し縮められることにより、針保護孔５ａから針２が突出するよう構成した。剛性の高いエンドピンストッパーが床と一体化することにより、さらに音質劣化を防いで、エンドピンを直接床に突き当てているのと同じように、楽器本体の振動が床材に伝達され、より豊かな音色（振動）効果を奏することができる。
【００２４】
本考案の適用範囲は上記実施形態に限定されることはない。本考案は、弦楽器のエンドピンを支持するエンドピンストッパーに対し、広く適用することができる。
【符号の説明】
【００２５】
１０：エンドピンストッパー
１：エンドピン受け部
２：針
３：表層部
４：金属層部
５：受圧体層部、５ａ：針保護孔
【図１】
0003210352.tif 000003
【図２】
0003210352.tif 000004
【図３】
0003210352.tif 000005
【図４】
0003210352.tif 000006
【図５】
0003210352.tif 000007
【図６】
0003210352.tif 000008